(57)【要約】【課題】新規な商品及び商品読取装置を提供することを目的とする。【解決手段】商品読取装置３０にて所定の照合情報を商品４０に無線送信する１回の動作のみで、全ての商品４０にて自己判断により所定の識別情報を商品読取装置３０に無線送信する。よって、商品４０に掛かる読取時間を大幅に短縮させることができる。また、超音波と信号により商品４０の枚数をダブルチェックしてそれらの枚数が一致するときのみ識別情報を読み取って処理している。よって、全ての商品４０を確実に処理することができる。【選択図】図５
2011234895.tif 000002
【特許請求の範囲】
【請求項１】
商品読取装置により読取可能な所定の識別情報を格納した商品であって、
重ね合わせ可能な形状の本体と、
前記本体に内蔵され、前記識別情報を格納する記憶手段と、
前記本体に内蔵され、前記商品読取装置から無線送信される所定の照合情報を無線受信する商品用受信手段と、
前記本体に内蔵され、前記商品読取装置に前記識別情報を無線送信する商品用送信手段と、
前記照合情報と前記識別情報とを比較して一致していると判断したときに前記識別情報を無線送信する商品用制御手段と、を備えたことを特徴とする商品。
【請求項２】
光を発して外部から視認可能なように前記本体側面の枠内に設けられた発光体を備え、
前記商品用制御手段は、前記照合情報と前記識別情報とを比較して一致していると判断したときに前記発光体を点灯させることを特徴とする請求項１に記載の商品。
【請求項３】
商品に格納された所定の識別情報を読み取り可能な商品読取装置であって、
請求項１又は２に記載の商品を１又は２以上重ね合わせて搭載可能な商品搭載手段と、
該商品搭載手段に搭載された１又は２枚以上の前記商品の高さを超音波により検出する超音波検出手段と、
前記商品搭載手段に搭載された１又は２枚以上の前記商品に所定の照合情報を無線送信する装置用送信手段と、
前記商品搭載手段に搭載された１又は２枚以上の前記商品から前記識別情報を無線受信する装置用受信手段と、
前記超音波検出手段により検出した前記商品の高さから前記商品の枚数を求めると共に、前記装置用受信手段により無線受信した前記識別情報の受信カウント数から前記商品の枚数を求め、前記商品の高さから求めた前記商品の枚数と、前記受信カウント数から求めた前記商品の枚数とが一致するときは、次の処理を行う装置用制御手段と、を備えたことを特徴とする商品読取装置。
【請求項４】
前記装置用受信手段及び前記装置用送信手段に接続され、前記商品搭載手段に搭載された１又は２枚以上の前記商品に沿うように該商品搭載手段に設けられたアンテナを備えたことを特徴とする請求項３に記載の商品読取装置。
【請求項５】
前記装置用制御手段は、前記識別情報を読み取って処理した際に、該識別情報が既に処理されていた場合、前記装置用送信手段から当該商品に前記発光体を消灯させる信号を送信することを特徴とする請求項３又は４に記載の商品読取装置。
【発明の詳細な説明】
【技術分野】
【０００１】
本発明は、新規な商品及び商品読取装置に関する。
【背景技術】
【０００２】
遊技場の１つである、パチンコやスロットといった遊技機を取り揃えたパチンコホールで、遊技客はパチンコやスロットを用いて遊技を行うことができる。パチンコホールにおける遊技の終了時、遊技客は、手元に残ったパチンコ玉やスロットのメダルを、その多寡に応じてさまざまな賞品と交換することができる。賞品の中の１つとして、遊技客が好んでよく持ち帰る一定の商品が存在し、パチンコホールから遊技客へこの一定商品を含む各種賞品が渡される。遊技客は、この一定商品を第三者が経営するショップ（景品買取ステーション）に持ち込むことにより売買取引を行うようになっている（例えば、特許文献１参照）。
【０００３】
ショップでは、例えば、特許文献２に記載のカード型の一定商品に内蔵のＩＣチップに記憶されている所定の識別情報を読み取り可能な商品読取装置が使用される。この商品読取装置は、重ね合わされた複数枚の一定商品から所定の識別情報を無線受信して照合し、該識別情報に異常がない場合に所定の照合結果情報を生成し、該照合結果情報を該当する一定商品に無線送信する。そして、照合結果情報を無線受信した一定商品は、内蔵されているＬＥＤを点灯するようになっている。
【先行技術文献】
【特許文献】
【０００４】
【特許文献１】特開２０００−７０５３７号
【特許文献２】特許４２７２９０９号
【発明の概要】
【発明が解決しようとする課題】
【０００５】
上述の従来技術では、先ず、商品読取装置にて一定商品から所定の識別情報を無線受信し、次に、商品読取装置にて照合結果情報を一定商品に無線送信するという動作を行う必要があるため時間が掛かり実用上読取枚数を増やすことができないという問題がある。
また、ＬＥＤが点灯していない一定商品をユーザが異常と視認して取り除くようにしているが、複数枚の一定商品が重ね合わされているためＬＥＤ同士が相互に照らしあって干渉することになり、ＬＥＤが点灯していない一定商品をユーザが見落としたり、ＬＥＤが点灯している一定商品をユーザが異常と誤視認して取り除いてしまうおそれがある。
【０００６】
また、重ね合わされた一定商品が何枚あるかは認識されていないため、全ての一定商品の識別情報を読み取って処理したか否かが不明となるおそれがある。
また、商品読取装置にて通信するためのアンテナは重ね合わされた複数枚の一定商品の下方に設けられているため、重ね合わされる一定商品の枚数が多くなるほど上部の一定商品とは通信が困難になってくる。よって、通信可能な一定商品の枚数は例えば５枚程度と非常に少ないものとなっている。
【０００７】
また、商品読取装置にて識別情報が一度読み取られた一定商品（二度読み商品）がこれから読み取ろうとする一定商品の中に混在していた場合でも、二度読み商品の識別情報に異常がない場合は所定の照合結果情報を生成し、該照合結果情報を二度読み商品に無線送信してしまう。そして、照合結果情報を無線受信した二度読み商品は、内蔵されているＬＥＤを点灯するので、ユーザは二度読みであることに気が付かないおそれがある。
【０００８】
本発明は、このような課題に鑑みてなされたものであり、新規な商品及び商品読取装置を提供することを目的とする。
【課題を解決するための手段】
【０００９】
上記課題を解決し、本発明の目的を達成するため、本発明の商品は、商品読取装置により読取可能な所定の識別情報を格納した商品であって、重ね合わせ可能な形状の本体と、前記本体に内蔵され、前記識別情報を格納する記憶手段と、前記本体に内蔵され、前記商品読取装置から無線送信される所定の照合情報を無線受信する商品用受信手段と、前記本体に内蔵され、前記商品読取装置に前記識別情報を無線送信する商品用送信手段と、前記照合情報と前記識別情報とを比較して一致していると判断したときに前記識別情報を無線送信する商品用制御手段と、を備えたことを特徴とする。
【００１０】
また、光を発して外部から視認可能なように前記本体側面の枠内に設けられた発光体を備え、前記商品用制御手段は、前記照合情報と前記識別情報とを比較して一致していると判断したときに前記発光体を点灯させることを特徴とする。
【００１１】
上記課題を解決し、本発明の目的を達成するため、本発明の商品読取装置は、商品に格納された所定の識別情報を読み取り可能な商品読取装置であって、請求項１又は２に記載の商品を１又は２枚以上重ね合わせて搭載可能な商品搭載手段と、該商品搭載手段に搭載された１又は２枚以上の前記商品の高さを超音波により検出する超音波検出手段と、前記商品搭載手段に搭載された１又は２枚以上の前記商品に所定の照合情報を無線送信する装置用送信手段と、前記商品搭載手段に搭載された１又は２枚以上の前記商品から前記識別情報を無線受信する装置用受信手段と、前記超音波検出手段により検出した前記商品の高さから前記商品の枚数を求めると共に、前記装置用受信手段により無線受信した前記識別情報の受信カウント数から前記商品の枚数を求め、前記商品の高さから求めた前記商品の枚数と、前記送信カウント数から求めた前記商品の枚数とが一致するときは、次の処理を行う装置用制御手段と、を備えたことを特徴とする。
【００１２】
また、前記装置用受信手段及び前記装置用送信手段に接続され、前記商品搭載手段に搭載された１又は２枚以上の前記商品に沿うように該商品搭載手段に設けられたアンテナを備えたことを特徴とする。
【００１３】
また、前記装置用制御手段は、前記識別情報を読み取って処理した際に、該識別情報が既に処理されていた場合、前記装置用送信手段から当該商品に前記発光体を消灯させる信号を送信することを特徴とする。
【発明の効果】
【００１４】
本発明によれば、商品読取装置にて所定の照合情報を商品に無線送信する１回の動作のみで、全ての商品にて自己判断により所定の識別情報を商品読取装置に無線送信する。よって、商品に掛かる読取時間を大幅に短縮させることができる。
【００１５】
また、発光体が商品の本体側面の枠内に設けられているので、複数の商品を重ね合わせたときでも相互の光が干渉しあうことを防止することができ、発光体が点灯しているか消灯しているかを確実に視認することができる。よって、発光体が点灯していない商品のみをユーザは確実に視認して取り除くことができる。
【００１６】
また、超音波と信号により商品の枚数をダブルチェックしてそれらの枚数が一致するときのみ次の処理を行うようにしている。よって、全ての商品を洩れなく確実に処理することができる。
【００１７】
また、重ね合わせた全ての商品に沿うようにアンテナを設けているので、重ね合わされる商品の枚数が多くなっても全ての商品と確実に通信を行うことができる。
【００１８】
また、識別情報が既に処理されていた二度読み商品の場合は二度読み商品の発光体を消灯させるようにしているので、二度読み商品を確実に取り除くことができる。
【図面の簡単な説明】
【００１９】
【図１】人気商品を含む商品の遊技場から遊技客への流れを示す図である。
【図２】一般的な人気商品の流れを示す図である。
【図３】本発明の実施形態の商品読取装置を示す斜視図である。
【図４】本発明の実施形態の人気商品を示す斜視図である。
【図５】図３及び図４に示す商品読取装置及び人気商品のブロック図である。
【図６】図３に示す商品読取装置の動作を説明する第１のフローチャートである。
【図７】図３に示す商品読取装置の動作を説明する第２のフローチャートである。
【発明を実施するための形態】
【００２０】
図１の遊技場１は、パチンコやスロットといった遊技機を取り揃えたパチンコホールを一例として挙げることができる。遊技客２とは、遊技場１でパチンコやスロットを用いた遊技を行う顧客の事である。遊技場１における遊技の終了時、遊技客２は、手元に残ったパチンコ玉やスロットのメダルを、その多寡に応じてさまざまな賞品と交換することが可能である。遊技場１から遊技客２へ賞品が渡されるため、この流れを図中の矢印によって示した。
【００２１】
賞品には、菓子、タバコ、ＣＤ、時計、宝飾品など様々な種類のものがあり、その中の１つとして、上述した一定商品が存在する。一定商品の例として、「人気」（登録商標、登録番号：第５０３１０２７号、権利者：ヒロユー株式会社）をもつものを挙げることができる。以下、この商品を、単に、「人気商品」と記述する。人気商品は、遊技場１から遊技客２へ渡される賞品の一種であり、通常の賞品とくらべると非常に流動性が高く、市中でも売買取引がおこなわれ、流通やリサイクル活動がおこなわれている。人気商品には、貴金属製の物品（メダル・ペン先・タイピン等）を挿入したカード型のものなど、種々の形状のものが存在するが、その取引額は挿入された貴金属製の物品の価値などに応じて変わり、例えば、「１００円」，「５００円」，「１，０００円」，「５，０００円」の４種がある。
【００２２】
市中に流通した人気商品は、遊技場とはまったく関係の無い、独立した第三者が経営するショップや流通業者によって取引が行われる。図２に、その一例を示す。図中の業者３とは、例えばショップであり、市中に流通した人気商品を売買する店舗のことである。業者４とは、例えば集荷業者であり、業者３から人気商品を買い取って集荷し、リサイクルを行う業者のことである。本図においては、話を簡単化するため、額面１００円相当の人気商品の取引を図示している。業者３は人気商品を業者４へ売ることによって収益を得る。この例の業者３は、１００円の人気商品に対してＰ円の手数料を上乗せし、（１００＋Ｐ）円で業者４へ売却している。換言すれば、業者３と業者４の間の取引価格は（１００＋Ｐ）円であり、前者から後者へと人気商品が流れ、逆向きにお金が流れる様子が図示されている。
【００２３】
また、図中の業者５とは、例えば配送業者であり、業者４から人気商品を買い取り、遊技場１へ配送する業者のことである。業者４は、業者３から買い取った人気商品を、業者５へ売ることによって収益を得る。この例では、業者４は、（１００＋Ｐ）円で買い取った人気商品に対し、（Ｑ−Ｐ）円の手数料を上乗せし、（１００＋Ｑ）円で売却している。換言すれば、業者４と業者５との間の取引価格は（１００＋Ｑ）円であり、前者から後者へ人気商品が流れ、逆向きにお金が流れる様子が図示されている。
【００２４】
さて、業者５は、業者４から買い取った人気商品を、遊技場１へ売ることによって収益を得る。この例では、業者５は、（１００＋Ｑ）円で買い取った人気商品に対し、（Ｒ−Ｑ）円を上乗せし、（１００＋Ｒ）円で売却している。換言すれば、業者５と遊技場１の間の取引価格は（１００＋Ｒ）円であり、前者から後者へ人気商品が流れ、逆向きにお金が流れる様子が図示されている。
【００２５】
業者３、すなわちショップでは、遊技客２から持ち込まれた人気商品を売買することになるため、人気商品に格納された所定の識別情報を読み取り可能な商品読取装置が使用されることになる。なお、商品読取装置は、業者３のみならず、業者４や業者５においても使用可能である。以下に図３から図５を参照して本実施形態の商品読取装置３０及び人気商品４０について説明する。
図３及び図５に示すように、本実施形態の商品読取装置３０は、装置用制御部３１、表示部３２、操作部３３、モデム３４、メモリ３５、プリンタ部３６、装置用送受信部３７、アンテナ板３８ａを有する商品搭載部３８、超音波センサ部３９等を備えている。
【００２６】
装置用制御部３１では、予め格納されているプログラムにより、商品読取装置３０全体の制御が行われる。
表示部３２は、液晶ディスプレイ等からなり、この表示部３２には、商品読取装置３０における例えば、人気商品４０の識別情報の処理内容や処理結果（換金金額等）等の所定の情報が文字、数字等で画面表示される。
操作部３３は、読取開始用の開始スイッチ３３ａ、読取終了用の終了スイッチ３３ｂ、読取取消用の取消スイッチ３３ｃ、テンキー３３ｄ等の入力キーを備え、この操作部３３では、ユーザにより商品読取装置３０の動作に必要となる各種の操作が行われる。
【００２７】
モデム３４では、外部の装置、例えばホストコンピュータ等との通信が行われる。
メモリ３５には、人気商品４０にて所定の識別情報と対比、照合される所定の照合情報や二度読みデータ、例えば、二度読み件数（例えば、０〜５０００枚）及び二度読み時間（例えば、０〜９００秒）等が格納される。この照合情報としては、例えば、大分類データ（例えば、地域コード）、小分類データ（例えば、店番号）、金種データ（例えば、５０００円、１０００円、５００円、１００円等）等がある。
プリンタ部３６は、熱転写プリンタ等からなり、このプリンタ部３６では、商品読取装置３０における例えば、人気商品４０の識別情報の処理内容や処理結果（換金金額等）等の所定の情報が文字、数字等で紙印刷される。
装置用送受信部３７では、商品搭載部３８のアンテナ板３８ａを介して人気商品４０との間で信号が無線で送受信される。
【００２８】
商品搭載部３８には、人気商品４０を１又は２枚以上積み重ねて搭載可能であり、搭載した人気商品４０の背面側に人気商品４０との間で信号を無線で送受信するアンテナ板３８ａが備えられている。このように商品搭載部３８に搭載した人気商品４０の背面側に全人気商品４０に沿うようにアンテナ板３８ａを配置しているので、商品搭載部３８に例えば３０枚の人気商品４０を積み重ねて搭載しても全人気商品４０と同一の近距離で通信を確実に行うことができる。
なお、アンテナ板を大きくしたり、アンテナ板の個数を複数にすることにより、１００枚以上の人気商品と通信可能になる。
超音波センサ部３９は、商品搭載部３８に搭載した人気商品４０の上方に配置されており、超音波（例えば２３０ＫＨz）を出射し反射してきた超音波を入射することができる。
【００２９】
図４に示すように、本実施形態の人気商品４０は、プラスチック樹脂等で形成された重ね合わせ可能なカード形状をなす本体４１を有しており、本体４１内部には、ＲＦＩＤ（Ｒａｄｉｏ  Ｆｒｅｑｕｅｎｃｙ  Ｉｄｅｎｔｉｆｉｃａｔｉｏｎ）チップと送受信アンテナ等が樹脂やガラスで封止されたＲＦタグ４２が埋め込まれている。ここで、ＲＦタグ４２は、無線通信により人気商品４０の認証等を可能とするもので、商品読取装置３０側と非接触型であるために接点等の磨耗の心配もなく、また電池が不要であるため常時使用可能となる。
【００３０】
図５に示すように、ＲＦタグ４２は、商品用制御部４３、電源供給部４４、メモリ４５、商品用送受信部４６、アンテナ４７、ＬＥＤ（発光体）４８等を備えている。
商品用制御部４３では、予め格納されているプログラムにより、ＲＦタグ４２全体の制御が行われる。
電源供給部４４は、ＲＦタグ４２の各部に電源を供給するものである。ＲＦタグ４２は、それ自体電源を持たないが、商品読取装置３０との通信可能なエリア内に位置する場合に、商品読取装置３０から電源供給部４４に電源供給信号が与えられ、これによりＲＦタグ４２の各部が制御される。
【００３１】
メモリ４５は、例えば、ＥＥＰＲＯＭ（電気的に書き換え可能なＲＯＭ）からなり、このメモリ４５には、所定の識別情報が格納されている。この識別情報としては、例えば、大分類データ（例えば、地域コード）、小分類データ（例えば、店番号）、金種データ（例えば、５０００円、１０００円、５００円、１００円等）、連番等がある。
商品用送受信部４６では、アンテナ４７を介して商品読取装置３０との間で信号が無線で送受信される。
【００３２】
ＬＥＤ４８は、図４に示すように、外部から視認可能なように本体４１の平行な２つの側面の中央枠内に設けられている。本例ではＬＥＤ４８を１つの側面に１箇所設けたが、複数箇所設けてもよく、また、側面の中央枠内に設けたが、側面の左右どちらかにずれた位置の枠内に設けてもよく、また、ＬＥＤ以外の発光体であってもよい。このようにＬＥＤ４８を本体４１の側面の枠内に設けているので、商品読取装置３０の商品搭載部３８に複数の人気商品４０を重ね合わせたときでも相互の光干渉を防止することができる。すなわち、側面の枠内のみの発光なので上下面に光が漏れず、重なり合った人気商品４０でも光干渉を防止できる。また、人気商品４０をいずれの向きに重ね合わせても、各人気商品４０のＬＥＤ４８を一直線状に揃えることができ、ＬＥＤ４８の状態を迅速かつ明確に識別できる。
【００３３】
次に、以上のような構成からなる本実施形態の商品読取装置３０及び人気所品４０の動作について図６及び図７のフローチャートを参照して説明する。先ず、図６に示すように、商品読取装置３０の超音波センサ部３９に対するティーチング処理を行う。すなわち、ユーザにより開始スイッチ３３ａが押されると、装置用制御部３１は、超音波センサ部３９から超音波を出射させる。この超音波は、人気商品４０が搭載されていない商品搭載部３８の底面で反射されて超音波センサ部３９に入射する。これにより、人気商品４０の搭載枚数が０枚のときの超音波センサ部３９から商品搭載部３８の底面までの距離Ｄｏを計測することができ、装置用制御部３１は、該計測距離Ｄｏをメモリ３５へ記録する（ステップＳ１，Ｓ２）。
【００３４】
そして、ユーザによりＸ枚の人気商品４０が商品搭載部３８に搭載され、開始スイッチ３３ａが押されると、装置用制御部３１は、超音波センサ部３９から超音波を出射させる。この超音波は、商品搭載部３８に搭載された最上部の人気商品４０で反射されて超音波センサ部３９に入射する。これにより、人気商品４０の搭載枚数がＸ枚のときの超音波センサ部３９から最上部の人気商品４０までの距離Ｄｘを計測することができ、装置用制御部３１は、該計測距離Ｄｘをメモリ３５へ記録する（ステップＳ３，Ｓ４）。
そして、装置用制御部３１は、メモリ３５から計測距離Ｄｏと計測距離Ｄｘとを読み出し、計測距離Ｄｏと計測距離Ｄｘとを減算して枚数Ｘにより徐算することにより、１枚の人気商品４０の高さ（厚さ）ｔを求めてメモリ３５へ記録する（ステップＳ５）。以上によりティーチング処理が完了する。なお、このティーチング処理は、商品読取装置３０を最初に使用するとき、人気商品４０の厚さが変わったときなど、必要に応じていつでも行うことができる。
【００３５】
次に、図７に示すように、商品読取装置３０の読取処理を行う。すなわち、ユーザにより任意枚数の人気商品４０が商品搭載部３８に搭載され、開始スイッチ３３ａが押されると、装置用制御部３１は、超音波センサ部３９により最上部の人気商品４０までの距離Ｄｍを計測させる（ステップＳ１１）。なお、この距離Ｄｍの計測時には、コールドスタート時における超音波センサ部３９の出力電圧の補正をするとともに、超音波センサ部３９近くの温度を測定して超音波の音速の補正をすることにより、距離Ｄｍに対し補正演算を行う。そして、装置用制御部３１は、メモリ３５から計測距離Ｄｏと人気商品４０の高さｔを読み出し、計測距離Ｄｏと計測距離Ｄｍとを減算して人気商品４０の高さｔにより徐算することにより、人気商品４０の枚数Ｍを求めてメモリ３５へ記録する（ステップＳ１２）。そして、装置用制御部３１は、メモリ３５から各人気商品４０の照合情報のうち大分類データを読み出し、装置用送受信部３７を介して各人気商品４０に大分類データを無線送信する。
【００３６】
人気商品４０において商品用制御部４３は、メモリ４５から識別情報のうち大分類データを読み出し、商品用送受信部４６を介して無線受信した大分類データと、メモリ４５から読み出した大分類データとを比較、照合して一致しているか否かを判断する。そして、商品用制御部４３は、大分類データが一致していると判断したときは、商品読取装置３０に識別情報のうち小分類データ及び金種データを無線送信すると共にＬＥＤ４８を点灯させる（ステップＳ１３）。このように、商品読取装置３０にて所定の照合情報を人気商品４０に無線送信する１回の動作のみで、全ての人気商品４０にて自己判断により所定の識別情報を商品読取装置３０に無線送信する。よって、人気商品４０に掛かる読取時間を大幅に短縮させることができる。
なお、装置用制御部３１は各人気商品４０に大分類データを無線送信し、人気商品４０は無線受信した大分類データと、メモリ４５から読み出した大分類データとを比較、照合することを説明したが、データは大分類データに限定されるものではなく、他のデータを含めてもよいことはもちろんである。場合によっては、人気商品４０の良否判定にかかわるすべての情報（大分類データ、小分類データなど）を、商品読取装置３０から人気商品４０へ無線送信し、これらをすべて商品用制御部４３で自己判断させるような方式も可能である。
【００３７】
装置用制御部３１は、装置用送受信部３７を介して無線受信した小分類データ及び金種データの受信カウント数から人気商品４０の枚数Ｎを求めてメモリ３５へ記録する（ステップＳ１４）。そして、装置用制御部３１は、各人気商品４０が正常であるか否か判断する。すなわち、メモリ３５から小分類データ、金種データ及び二度読みデータを読み出し、装置用送受信部３７を介して無線受信した小分類データと、メモリ３５から読み出した小分類データとを比較、照合して一致しているか否かを判断する（ステップＳ１５）。装置用制御部３１は、小分類データが一致していないときは、該当する人気商品４０のＬＥＤ４８を消灯させる信号を装置用送受信部３７を介して該当する人気商品４０に無線送信すると共に、小分類データエラーとして表示部３２にその旨を表示する（ステップＳ１６）。人気商品４０において商品用制御部４３は、商品用送受信部４６を介してＬＥＤ４８を消灯させる信号を無線受信したら、点灯しているＬＥＤ４８を消灯する。このときはユーザにより取消スイッチ３３ｃが押され、ＬＥＤ４８が点灯していない人気商品４０が商品搭載部３８から取り出され、開始スイッチ３３ａが再度押されて上述の処理が行われる。
【００３８】
装置用制御部３１は、小分類データが一致しているときは、装置用送受信部３７を介して無線受信した金種データと、メモリ３５から読み出した金種データとを比較、照合して、無線受信した金種データがメモリ３５から読み出した金種データのいずれかと一致しているか否かを判断する（ステップＳ１５）。装置用制御部３１は、金種データが一致していないときは、該当する人気商品４０のＬＥＤ４８を消灯させる信号を装置用送受信部３７を介して該当する人気商品４０に無線送信すると共に、金種データエラーとして表示部３２にその旨を表示する（ステップＳ１６）。人気商品４０において商品用制御部４３は、商品用送受信部４６を介してＬＥＤ４８を消灯させる信号を無線受信したら、点灯しているＬＥＤ４８を消灯する。このときはユーザにより取消スイッチ３３ｃが押され、ＬＥＤ４８が点灯していない人気商品４０が商品搭載部３８から取り出され、開始スイッチ３３ａが再度押されて上述の処理が行われる。
【００３９】
装置用制御部３１は、金種データが一致しているときは、メモリ３５から読み出した二度読みデータに基づいて、人気商品４０が二度読み商品であるか否かを判断する。具体的には、該人気商品４０が、二度読み件数と二度読み時間内に買取されていたときは二度読み商品であると判断する（ステップＳ１５）。そして、装置用制御部３１は、該当する人気商品４０のＬＥＤ４８を消灯させる信号を装置用送受信部３７を介して該当する人気商品４０に無線送信すると共に、二度読みデータエラーとして表示部３２にその旨を表示する（ステップＳ１６）。人気商品４０において商品用制御部４３は、商品用送受信部４６を介してＬＥＤ４８を消灯させる信号を無線受信したら、点灯しているＬＥＤ４８を消灯する。このときはユーザにより取消スイッチ３３ｃが押され、ＬＥＤ４８が点灯していない人気商品４０が商品搭載部３８から取り出され、開始スイッチ３３ａが再度押されて上述の処理が行われる。なお、過去に読み取った人気商品４０のデータは全てメモリ３５に記録されている。
二度読み件数及び二度読み時間を設定することにより、正常なサイクルで業者間を経由してきた人気商品を二度読みと判断してしまうことを防止できる等、状況に応じて二度読み判断の過誤を防止できる。また、二度読み件数を０枚、二度読み時間を０秒と設定することにより二度読みチェック機能を無効とすることができる。また、小分類チェック及び二度読みチェックは省略してもよい。
【００４０】
装置用制御部３１は、人気商品４０が二度読み商品でないときは、人気商品４０の高さｔから求めた人気商品４０の枚数Ｍと受信カウント数から求めた人気商品４０の枚数Ｎとをメモリ４５から読み出して両者が一致しているか否かを判断し（ステップＳ１７）、枚数Ｍ，Ｎが一致していないときは枚数エラーとして表示部３２にその旨を表示する（ステップＳ１８）。このときはユーザにより取消スイッチ３３ｃが押され、ＬＥＤ４８が点灯していない人気商品４０が商品搭載部３８から取り出され、開始スイッチ３３ａが再度押されて上述の処理が行われる。複数の人気商品４０を重ね合わせたときでも相互の光干渉を防止することができるので、ＬＥＤ４８が点灯しているか消灯しているかを確実に視認することができる。よって、ＬＥＤ４８が点灯していない人気商品４０のみをユーザは確実に視認して取り除くことができる。
【００４１】
一方、枚数Ｍ，Ｎが一致したときは次の処理として表示部３２に人気商品４０の高さｔから求めた人気商品４０の枚数Ｍと受信カウント数から求めた人気商品４０の枚数Ｎを表示部３２に表示すると共に、金種毎の枚数や合計金額等を表示部３２に表示する（ステップＳ１９）。そして、ユーザにより人気商品４０が商品搭載部３８から取り出され、読取処理を続行するときは開始スイッチ３３ａが再度押されるのでステップＳ１１に戻って上述の処理を繰り返し、読取処理を取り消すときは取消スイッチ３３ｃが押され、読取処理を終了するときは終了スイッチ３３ｂが押されるので表示部３２に読み取った全人気商品４０の枚数を表示してメモリ３５へ記録し（ステップＳ２０，Ｓ２１）、読取処理を終了する。そして、ユーザは、表示部３２の表示結果に基づいて換金処理等を行う。
【００４２】
以上のように、超音波と信号により人気商品４０の枚数をダブルチェックしてそれらの枚数が一致するときのみ識別情報を読み取って処理している。よって、全ての人気商品４０を確実に処理することができる。また、商品搭載部３８の背面に１枚毎の人気商品４０の高さ（厚さ）をスケール表示すると共に数字表示しておくことにより、人気商品４０の枚数をトリプルチェックすることができ、全ての人気商品４０をさらに確実に処理することができる。なお、商品枚数の計測には、超音波だけでなく、レーザー等を利用する距離測定装置を用いてもよい。
【００４３】
人気商品に掛かる読取時間について、本発明の方法と従来の方法を比較した。
本発明の方法は、上述したとおりである。すなわち、装置用制御部３１は、メモリ３５から各人気商品４０の照合情報のうち大分類データを読み出し、装置用送受信部３７を介して各人気商品４０に大分類データを無線送信する。人気商品４０において商品用制御部４３は、メモリ４５から識別情報のうち大分類データを読み出し、商品用送受信部４６を介して無線受信した大分類データと、メモリ４５から読み出した大分類データとを比較、照合して一致しているか否かを判断する。そして、商品用制御部４３は、大分類データが一致していると判断したときは、ＬＥＤ４８を点灯させる。
従来の方法としては次のようにした。すなわち、個々の人気商品４０の商品用制御部４３は、メモリ４５から各人気商品４０の識別情報のうち大分類データを読み出し、商品用送受信部４６を介して商品読取装置３０に大分類データを無線送信する。商品読取装置３０において装置用制御部３１は、メモリ３５から照合情報のうち大分類データを読み出し、装置用送受信部３７を介して無線受信した大分類データと、メモリ３５から読み出した大分類データとを比較、照合して一致しているか否かを判断する。そして、装置用制御部３１は、大分類データが一致していると判断したときは、該当する人気商品４０のＬＥＤ４８を点灯させる信号を装置用送受信部３７を介して該当する人気商品４０に無線送信する。人気商品４０において商品用制御部４３は、商品用送受信部４６を介してＬＥＤ４８を点灯させる信号を無線受信したら、ＬＥＤ４８を点灯する。
この従来の方法による人気商品に掛かる読取時間を、本発明の方法による人気商品に掛かる読取時間を比較すると、従来の方法では１枚の人気商品に対して約０．２秒かかるのに対して、本発明の方法では約０．１秒であった。このように、従来の方法に比較して本発明の方法では、人気商品に掛かる読取時間を大幅に短縮することができる。
なお、本発明は上述の発明を実施するための形態に限らず本発明の要旨を逸脱することなくその他種々の構成を採り得ることはもちろんである。
【符号の説明】
【００４４】
１‥‥遊技場、２‥‥遊技客、３，４，５‥‥業者、３０‥‥商品読取装置、３１‥‥装置用制御部、３２‥‥表示部、３３‥‥操作部、３４‥‥モデム、３５‥‥メモリ、３６‥‥プリンタ部、３７‥‥装置用送受信部、３８ａ‥‥アンテナ板、３９‥‥超音波センサ部、４０‥‥人気商品、４１‥‥本体、４２‥‥ＲＦタグ、４３‥‥商品用制御部、４４‥‥電源供給部、４５‥‥メモリ、４６‥‥商品用送受信部、４７‥‥アンテナ、４８‥‥ＬＥＤ
【図１】
2011234895.tif 000003
【図２】
2011234895.tif 000004
【図３】
2011234895.tif 000005
【図４】
2011234895.tif 000006
【図５】
2011234895.tif 000007
【図６】
2011234895.tif 000008
【図７】
2011234895.tif 000009